(57)【要約】      （修正有）【課題】倉庫等の天井が高く、さらに構造上、空間面積の大きい施設を対象に、確実に火災の抑制消火を可能とする。【解決手段】シート展開装置１０は、ロール状に巻き回された仕切シート１４を保持し、外部からの作動信号により仕切シート１４の保持を解除したときに、仕切シート１４の一端を固定した状態で他端側を落下させることにより上下に展開させる。シート展開装置１０は、倉庫等の大きな防護空間の上部平面に格子状に配置され、火災時に、火災発生場所を含む対象区間を囲むように複数のシート展開装置１０を作動して仕切シート１４を上下に展開して仕切区画を形成し、炎、煙又は熱の外部への放出を抑制し、仕切区画の中に消火剤を散布して火災を抑制消火し、シート面に冷却剤散布ヘッド２８から冷却水を散布して冷却する。【選択図】図２
2020081184.tif 000002
【特許請求の範囲】
【請求項１】
防護空間の火災を抑制消火する防災設備のシート展開装置に於いて、
防火性、耐火性、耐熱性又は遮煙性を有する布状体を用いた仕切シートと、
前記防護空間の所定位置に固定される本体手段と、
前記本体手段に前記仕切シートの一端を固定する固定手段と、
前記仕切シートを非展開状態で保持する保持手段と、
前記防護空間の火災時に、前記保持手段による前記仕切シートの保持を解除して他端を落下させ、前記防護空間内の火災発生場所を含む任意の対象区画を仕切るように展開させる展開手段と、
を備えたことを特徴とする防災設備のシート展開装置。
【請求項２】
請求項１記載の防災設備のシート展開装置に於いて、
前記保持手段は、前記仕切シートをロール状に巻かれた状態又は蛇腹状に折り畳まれた状態で前記本体手段に保持することを特徴とする防災設備のシート展開装置。
【請求項３】
請求項１記載の防災設備のシート展開装置に於いて、
前記仕切シートは、前記本体手段の設置高さよりも長いシート長を有することを特徴とする防災設備のシート展開装置。
【請求項４】
請求項１記載の防災設備のシート展開装置に於いて、
更に、前記展開手段により展開した前記仕切シートに冷却剤を散布する冷却剤散布手段が設けられたことを特徴とする防災設備のシート展開装置。
【請求項５】
請求項４記載の防災設備のシート展開装置に於いて、前記冷却剤散布手段は、前記展開手段により展開された前記仕切シートの片面又は両面に前記冷却剤を散布することを特徴とする防災設備のシート展開装置。
【請求項６】
請求項４又は５記載の防災設備のシート展開装置に於いて、前記冷却剤散布手段は前記冷却剤として冷却水を散布することを特徴とする防災設備のシート展開装置。
【発明の詳細な説明】
【技術分野】
【０００１】
本発明は、倉庫等の大空間で発生した火災を抑制消火する防災設備のシート展開装置に関する。
【背景技術】
【０００２】
従来、監視区域で発生した火災を抑制消火する防災設備としては、火災感知器が火災を検出した場合に火災検出に連動して金属製の防火シャッターを閉鎖することにより防火区画を形成して火災の拡大を抑制する火災報知設備（特許文献１）や、火災による熱気流を受けてスプリンクラーヘッドが開放作動することで消火用水を散布して火災を抑制消火するスプリンクラー消火設備（特許文献２）が知られている。
【０００３】
また、機械式駐車場を対象とした防災カーテン消火システムが知られている（特許文献３）。この防災カーテン消火システムは、機械式駐車場の車両が入る駐車部を有する駐車ステージが多段に設けられ、各駐車部の天井の前部と両側部に防災カーテンが設けられ、火災感知器により駐車部の火災を検出すると防災カーテンが降下して前部と両側部を封鎖し、消火ノズルから消火ガスを噴出して消火するようにしている。
【０００４】
また、従来の防災カーテンはモータ駆動により降下させ、火災が鎮火するとモータ駆動により巻き上げるようにしている。
【先行技術文献】
【特許文献】
【０００５】
【特許文献１】特開２０１７−２１１７８０号公報
【特許文献２】特開２０１５−１４６８４０号公報
【特許文献３】特開平５−１５４２１６号公報
【発明の概要】
【発明が解決しようとする課題】
【０００６】
しかしながら、このような従来の防災設備にあっては、倉庫等のように広い空間をもつ施設に適用する場合に問題があった。
【０００７】
例えば金属製の防火シャッターは遮熱性が十分ではなく、設備構造が大がかりであり、火災後の改修等も容易ではない。
【０００８】
また、従来、防護区画は部屋やフロアの配置構成に合わせて、比較的広い面積について形成されるものであるが、規模の大きな大倉庫等では、大空間を構築する構造上の特徴や倉庫内に配置したラック棚等に物資を収納して出し入れする物流上の特徴から、従来のような防火シャッターを使用して、細かく防火区画を形成することは現実的ではない。
【０００９】
また、倉庫のように高天井である場合、例えばスプリンクラー消火設備による消火用水は落下する途中で飛散して単位面積当たりの散布量が低下して散水効率が低く、一方では広範囲に散水が及び水損が拡大する問題がある。
【００１０】
また、従来の防災カーテン消火システムは、機械式駐車場の駐車部のように、消火対象区画が支柱構造により上下左右に仕切られた区画構造の場合には問題ないが、倉庫のように仕切り構造を持たない大空間に適用することは困難である。
【００１１】
また、倉庫のような大空間にあっては、仮に仕切構造があったとしても、防災カーテンは１０メートルを超える高さから降下させて対象区画を封鎖させる必要があり、モータ駆動によるカーテンの降下では、カーテンが完全に降下するまでに時間がかかり、その間に火災が拡大し、十分な火災の抑制消火が期待できない問題がある。
【００１２】
本発明は、倉庫等の天井が高く、さらに構造上、空間面積の大きい施設を対象に、確実に火災の抑制消火を可能とする防災設備のシート展開装置を提供することを目的とする。
【課題を解決するための手段】
【００１３】
（防災設備のシート展開装置）
本発明は、防護空間の火災を抑制消火する防災設備のシート展開装置に於いて、
防火性、耐火性、耐熱性又は遮煙性を有する布状体を用いた仕切シートと、
防護空間の所定位置に固定される本体手段と、
本体手段に仕切シートの一端を固定する固定手段と、
仕切シートを非展開状態で保持する保持手段と、
防護空間の火災時に、保持手段による仕切シートの保持を解除して他端を落下させ、防護空間内の火災発生場所を含む任意の対象区画を仕切るように展開させる展開手段と、
を備えたことを特徴とする。
【００１４】
（仕切シートの保持状態）
保持手段は、仕切シートをロール状に巻かれた状態又は蛇腹状に折り畳まれた状態で本体手段に保持する。
【００１５】
（仕切シートのシート長）
仕切シートは、本体手段の設置高さよりも長いシート長を有する。
【００１６】
（シートの冷却剤散布）
更に、展開手段により展開した仕切シートに冷却剤を散布する冷却剤散布手段が設けられる。
【００１７】
（シートの散布面）
冷却剤散布手段は、展開手段により展開された仕切シートの片面又は両面に冷却剤を散布する。
【００１８】
（シートの冷却水散布）
散布手段は冷却剤として冷却水を散布する。
【発明の効果】
【００１９】
（基本的な効果）
本発明は、防護空間の火災を抑制消火する防災設備のシート展開装置に於いて、防火性、耐火性、耐熱性又は遮煙性を有する布状体を用いた仕切シートと、防護空間の所定位置に固定される本体手段と、本体手段に仕切シートの一端を固定する固定手段と、仕切シートを非展開状態で保持する保持手段と、防護空間の火災時に、保持手段による仕切シートの保持を解除して他端を落下させ、防護空間内の火災発生場所を含む任意の対象区画を仕切るように展開させる展開手段とを備えたため、倉庫等の広い防護空間で火災が発生したときに、火災発生場所を含む対象区画を周囲から仕切るように仕切シートを展開することで防護空間の中に仕切区画が形成され、遮炎、遮煙、遮熱により延焼防止、煙拡散防止の効果が期待できる。
【００２０】
また、仕切シートの展開で仕切られた仕切区画の中に消火用水又は消火泡等の消火剤を散布することで、散布した消火剤が周囲に広がることがなく、火災発生場所に対し集中した散布を可能として確実に火災を抑制消火でき、消火効率が向上すると共に、周囲に対する消火剤の拡散が抑制、防止され、水損等を最小限に抑えることができる。
【００２１】
（仕切シートの保持状態による効果）
また、保持手段は、仕切シートをロール状に巻かれた状態又は蛇腹状に折り畳まれた状態で本体手段に保持するようにしたため、シート展開装置は倉庫等の空間面積の大きな防護空間の天井側に配置されるが、通常時、仕切シートはコンパクトに保持されているため、防護空間の設置スペースは少なくて済む。
【００２２】
また、火災時には、ロール状又は蛇腹状の状態で保持された仕切シートの片端の保持を解除することで、自重により確実に落下して上下に確実に展開することができ、従来のモータ駆動により展開する防災カーテン等に比べ、仕切シートの展開高さが倉庫のように１０メートルを超えた場合にも、シートの展開速度が速く、短時間で展開して火災に対処できると共に、複雑な装置や制御を要することなく、展開することができる。
【００２３】
（仕切シートのシート長による効果）
また、仕切シートは、本体手段の設置高さよりも長いシート長を有するようにしたため、従来の鋼製の防火シャッターの場合、床に障害物があると床まで降下せず、すき間が空くので消火、延焼防止等が低減してしまうが、布状態である仕切シートは柔軟性があるので、長めに採寸しておくとすき間の発生を抑制することができ、消火、延焼防止等の低減度合いが抑制できる。
【００２４】
（シートの冷却剤散布による効果）
また、展開手段により展開した仕切シートに冷却剤を散布する冷却剤散布手段が設けられ、冷却剤散布手段は、展開手段により展開された仕切シートの片面又は両面に冷却剤を散布するものであり、更に、冷却剤散布手段は冷却剤として冷却水を散布するようにしたため、散布手段により仕切シートに冷却水を散布して濡らすことで、仕切シートの遮炎性、遮煙性、遮熱性をさらに高めることができる。また、冷却水散布手段は、必要に応じて仕切シートの片側又は両側に冷却水を散布するようにしたため、例えば、仕切シートの火災発生側には例えば消火泡が散布されることから、この場合には火災発生側に対し反対側となる外側シート面に冷却水を散布することで、シート内側に散布された消火泡を冷却水の散布により消失させることなく、外側シート面に対する冷却水の散布により仕切シートの火災に対する遮炎性、遮煙性、遮熱性を高めることができる。なお、ここでは対象区画の中心に向かう面側を内側、その反対面側を外側としている。
【図面の簡単な説明】
【００２５】
【図１】通常時のシート展開装置の実施形態を示した説明図
【図２】シート展開装置による仕切シートの展開状態を示した説明図
【図３】防災設備に対するシート展開装置の設置状態を示した説明図
【図４】火災発生場所を囲むように仕切シートを展開するシート展開装置の動作を示した説明図
【図５】図４の仕切シートの展開に対する冷却水の散布を平面で示した説明図
【発明を実施するための形態】
【００２６】
［防災設備のシート展開装置］
図１は通常時のシート展開装置の実施形態を示した説明図であり、図１（Ａ）に正面を示し、図１（Ｂ）に側面を示し、図１（Ｃ）に下から見た平面を示す。図２はシート展開装置による仕切シートの展開状態を示した説明図であり、図２（Ａ）に正面を示し、図２（Ｂ）に側面を示す。
【００２７】
［実施形態の基本的な概念］
本実施形態のシート展開装置１０は、倉庫等の空間で発生した火災を消火抑制するために設置されるものであり、防火性、耐火性、耐熱性又は遮煙性を有する布状体を用いた仕切手段である仕切シート１４を有し、防護空間の天井側等の所定位置に固定される本体手段である装置本体１２に、仕切シート１４の一端を固定手段である固定部材１５により固定し、また、仕切シート１４を保持手段である保持部材１６によりロール状に巻かれるか又は蛇腹状に折り畳まれた非展開状態で保持し、防護空間の火災時に、展開手段であるラッチ解除作動部１８により仕切シート１４の保持を解除して他端側を落下させ、防護空間内の火災発生場所を含む任意の対象区画を仕切るように展開させるようにしたため、防護空間で火災が発生したときに、火災発生場所を含む対象区画を周囲から仕切るように仕切シート１４を展開することで防護空間の中に仕切区画が形成され、遮炎、遮煙、遮熱により延焼防止、煙拡散防止の効果が期待できる、というものである。
【００２８】
また、仕切シート１４の展開で仕切られた仕切区画の中に消火用水又は消火泡等の消火剤を散布することで、散布した消火剤が周囲に飛散することを抑制し、火災発生場所に対し集中した散布を可能として確実に火災を抑制消火でき、また、周囲に対する消火剤の飛散が抑制・防止され、水損等を最小限に抑えることができる。
【００２９】
また、火災時に展開した仕切シート１４に冷却剤散布手段である冷却剤散布ヘッド２８から冷却剤を散布して濡らすことで、仕切シート１４の遮炎性、遮煙性、遮熱性をさらに高めることができる。
【００３０】
［シート展開装置］
図１に示すように、シート展開装置１０は、本体手段である装置本体１２が防護空間の天井面側に固定されており、装置本体１２に仕切手段である仕切シート１４の一端を固定手段である固定部材１５により固定し、仕切シート１４はロール状に巻き回された非展開状態で装置本体１２の下側にワイヤ又はロープを用いた保持手段である保持部材１６により左右２箇所で吊下げ状態に保持されている。
【００３１】
なお、仕切シート１４の非展開状態としては、仕切シート１４を回転軸に巻き、火災時に回転軸のラッチを解除して仕切シート１４を自重で落下展開させる構造としてもよい。また、シート展開装置１０の仕切シート１４を蛇腹状に折り畳んだ非展開状態で保持し、火災時に保持を解除して落下展開させる構造としてもよい。
【００３２】
仕切シート１４は例えば１２００℃の高熱に耐えることができ、耐火シート、耐火カーテン、耐火幕等とも呼ばれるシートである。なお、仕切シート１４としては、１２００℃以下であっても、例えば数百度以上の耐熱性能を持つものであれば良い。
【００３３】
また、仕切シート１４の重量は、例えば、幅５メートル、長さ１０メートルのサイズとすると３５キログラム程度であり、同じサイズの鋼製シャッターは６００キログラムを超えることから、１／２０程度で済み、防護空間に対するシート展開装置１０の設置が容易にできる。
【００３４】
ワイヤ又はロープを用いた保持部材１６は一端が装置本体１２に固定され、他端はロール状に巻かれた仕切シート１４の下側を通して装置本体１２に設けられた展開手段であるラッチ解除作動部１８に着脱自在に保持され、抜け止めされている。ラッチ解除作動部１８は、外部からの作動信号による例えばソレノイドの通電によりラッチを解除する。
【００３５】
シート展開装置１０は、火災時に外部からの作動信号によりラッチ解除作動部１８を作動すると、仕切シート１４の一端が装置本体１２に固定された状態で保持部材１６による仕切シート１４の他端の保持が解除され、図２に示すように、自重により落下して下方に展開される。
【００３６】
ラッチ解除作動部１８により保持部材１６の保持を解除したとき、３５キログラム程度の重量を持つ仕切シート１４が片側を固定した状態で落下して展開することから、従来のモータ駆動による仕切シート１４の巻き降ろしに比べ、速やかに落下して上下に展開させることができる。
【００３７】
ここで、図２のように展開した仕切シート１４の長さは、防護空間におけるシート展開装置１０の設置高さよりも長めに採寸して余長をとるようにする。これは防護空間の下面となる床面に荷物や設備機器等の機材が置かれている場合があり、仕切シート１４を落下展開したときに床面に機材があってもシートの弛みにより隙間ができにくいようにするためである。
【００３８】
また、シート展開装置１０には、火災時に展開した仕切シート１４に冷却剤として例えば冷却水を散布する冷却剤散布手段である冷却剤散布ヘッド２８が設けられる。冷却剤散布ヘッド２８は、装置本体１２の両側に取り出された配管２９に設けられており、これに装置本体１２内を通して冷却配管４４が開閉弁４６を介して接続され、火災時に冷却剤供給設備４０（後述）から冷却水の供給を受けて、図２に一点鎖線で示すように、展開した仕切シート１４の片面、例えば、図２（Ｂ）で仕切シート１４の右側が火災発生場所（内側）であるとすると、火災発生側に対し反対側となる外側シート面（図示の左側シート面）に冷却剤として冷却水を散布する。
【００３９】
冷却剤散布ヘッド２８から散布された冷却水は、展開した仕切シート１４の外側シート面を略均一に濡らしつつ、外側シート面に沿って流れ落ちる。仕切シート１４は布織目の表面に樹脂等をコーティングしたものとコーティングしていないものがあり、非コーティングの仕切シート１４を使用した場合、冷却剤散布ヘッド２８から散布された冷却水は、展開した仕切シート１４のシート面を濡らし、仕切シート１４の布織目に冷却水が含浸して隙間が閉鎖され、遮煙性が向上し、仕切シート１４の外側への煙の拡散が抑制される。また、散布水の含浸と外側シート面に沿った流れ落ちにより、仕切シート１４が冷却され、遮炎性と遮熱性が高められる。もちろん、コーティングしたものでも所定の効果をえることができる。
【００４０】
ここで、冷却剤散布ヘッド２８から展開した仕切シート１４の火災発生側の反対側となる外側シート面に冷却水を散布している理由は、仕切シート１４の展開で仕切られた対象区画内には消火ヘッド２６（後述）から消火泡を散布しており、散布された消火泡に冷却剤散布ヘッド２８からの冷却水がかかると消火泡が消失することから、消火泡の消失を防ぐためである。
【００４１】
なお、仕切シート１４の展開で仕切られた火災発生場所を含む仕切区画の中に消火用水を散布する場合には、内側シート面に冷却水を散布するようにしても良いし、シート面の内側と外側の両方に冷却水を散布するようにしても良い。
【００４２】
なお、本実施形態は、シート展開装置１０の両側に冷却剤散布ヘッド２８を一台ずつ設けているが、シート幅に応じて複数の冷却剤散布ヘッド２８を並べて配置するようにしても良い。また、冷却剤散布ヘッド２８に対する冷却配管４４は装置本体１２内を通さずに外側に配置しても良い。また、開閉弁４６は外付けではなく、装置本体１２内に組み込んだ構造としても良い。
【００４３】
また、シート展開装置１０における仕切シート１４の展開手段による保持解除は、火災時に外部からの作動信号による以外に、火災による熱を受けたヒューズの溶断により保持を解除するヒュージブルリンクを用いた感熱作動型としてもよい。また、用途、規模、形状により各方式を組み合わせた複合型としても良い。
【００４４】
更に、保持手段である保持部材１６と展開手段であるラッチ解除作動部１８は、これに限定されず、適宜の方法を採用し得る。例えば、強靭で幅広の樹脂テープを保持手段とし、樹脂テープにより装置本体１２に対しロール状に巻き回した仕切シート１４の下側を通して吊り下げ保持し、樹脂テープには、展開手段として、樹脂テープを横切る位置にヒータ線を埋め込んでおき、火災時には、ヒータ線の通電加熱により樹脂テープを溶断することで、仕切シート１４の保持を解除して落下させ、これにより上下に展開させても良い。
【００４５】
［防護空間に対するシート展開装置の設置］
図３は防災設備に対するシート展開装置の設置状態を示した説明図である。図３に示すように、大型倉庫等の防護空間２２を対象に本実施形態のシート展開装置１０を用いた防災設備２０が設置される。防護空間２２の天井側となる上部平面に、仕切シート１４を火災時に展開する１２台のシート展開装置１０を格子状に配置している。なお、シート展開装置１０は防護空間２２の天井面以外に、例えば天井面よりやや下側の空間位置に設置することも可能である。
【００４６】
ここで、シート展開装置１０の格子状の配置に対応した防護空間２２の点線で分けられた区画を、シート展開装置１０による仕切シート１４の展開により仕切られる対象区画Ａ１〜Ａ９とする。また、防護空間２２における対象区画のサイズと区画数は、シート展開装置１０により展開する仕切シート１４のサイズに応じて任意に定められる。
【００４７】
シート展開装置１０に対応してシート展開制御装置３２が設けられ、シート展開制御装置３２には、対象区画Ａ１〜Ａ９の何れかで火災が発生した場合、火災が発生した対象区画Ａ１〜Ａ９の各々を囲むように仕切シート１４を展開するため、対象区画Ａ１〜Ａ９に対応して作動すべきシート展開装置１０の関係が予め記憶されている。
【００４８】
図３に示す防護空間２２における対象区画Ａ１〜Ａ９の天井面側の各々には火災感知器２４が設置され、火災受信盤３４から引き出された信号回線４５ｂに接続されている。
【００４９】
火災感知器２４は例えば伝送機能を備えると共に固有のアドレスが設定されており、火災発報した場合に自己のアドレスを含む火災信号を送信することで、火災受信盤３４は対象区画Ａ１〜Ａ９のどの場所で火災が発生したかを識別でき、これに基づき、火災警報を出力すると共に、火災が発生した対象区画を示す移報信号を消火制御盤３８に送信するようにしている。
【００５０】
このためシート展開制御装置３２は、火災受信盤３４から受信した移報信号に基づき、火災発生場所となる対象区画Ａ１〜Ａ９の何れかに対応して、火災が発生した対象区画の周囲を囲むようにシート展開装置１０を作動して仕切シート１４を展開させる。
【００５１】
図３に示す防護空間２２における対象区画Ａ１〜Ａ９の天井面側の各々には、例えば消火用水又は消火泡等の消火剤を散布する消火ヘッド２６が配置され、消火ヘッド２６は開閉弁３０を介して消火剤供給設備３６からの消火配管４２に接続されている。
【００５２】
消火剤供給設備３６は消火ポンプ設備又は泡消火ポンプ設備であり、火災受信盤３４で火災警報が出力された場合、消火ポンプ設備の起動により消火用水が供給されるか、又は泡消火ポンプ設備の起動により泡消火液が供給される。なお、消火ポンプ設備又は泡消火ポンプ設備の起動は、手動操作による起動又は火災受信盤３４からの移報信号による連動起動とする。
【００５３】
開閉弁３０に対しては、消火制御盤３８から引き出された信号回線４５ｃが接続されている。消火制御盤３８は、火災受信盤３４から受信した移報信号が示す火災発生場所となる対象区画Ａ１〜Ａ９の何れかに対応して、火災が発生した対象区画に配置した開閉弁３０に開駆動信号を送信して開放させ、火災発生場所となる対象区画への消火用水又は消火泡の散布を行う。消火ポンプの起動、開閉弁の起動は、シート展開制御装置３２から消火制御盤３８へ起動信号を送信させ、これに基づき行うようにしても良い。
【００５４】
対象区画Ａ１〜Ａ９に消火剤を散布する消火手段としては、例えば、対象区画Ａ１〜Ａ９毎に閉鎖型のスプリンクラーヘッドを設けてもよいし、また、放水ノズルから消火用水を対象区画Ａ１〜Ａ９に放水する放水銃装置を設けてもよい。
【００５５】
シート展開装置１０に設けられた冷却剤散布ヘッド２８に対しては、冷却剤供給設備４０から火災時に冷却剤として冷却水が供給され、図２のように展開した仕切シート１４のシート面に冷却剤として冷却水を散布する。
【００５６】
冷却剤供給設備４０は送水ポンプ設備であり、例えば、消火制御盤３８による消火剤供給設備３６に連動して起動され、冷却配管４４を介してシート展開装置１０の冷却剤散布ヘッド２８に冷却水を供給する。また、開閉弁４６に対しては、消火制御盤３８から引き出された信号回線（図示せず）が接続され、消火制御盤３８は、火災受信盤３４から移報信号により受信した火災発生場所となる対象区画Ａ１〜Ａ９の何れかに対応して、火災が発生した対象区画を仕切るシート展開装置１０の外側シート面に対応した開閉弁４６（図２参照）に開駆動信号を送信して開放させ、展開した仕切シート１４の外側シート面に冷却水を散布させる。なお、図３は開閉弁４６を省略している。なお、消火剤供給設備３６と冷却剤供給設備４０を共用し、同じく、消火配管４２と冷却配管４４を共用するようにしても良い。
【００５７】
［防災設備の動作］
図４は火災発生場所を囲むように仕切シートを展開するシート展開装置の動作を示した説明図あり、冷却剤散布ヘッド２８は図示を省略している。図５は図４の仕切シートの展開に対する冷却水の散布を平面で示した説明図である。
【００５８】
図４に示すように、対象区画Ａ５で火災が発生してこれに対応する火災感知器２４が火災発報したとすると、火災発生場所として判別された対象区画Ａ５の上方の天井面に矩形配置された４台のシート展開装置１０のラッチ解除作動部１８が作動されて保持部材１６のラッチが解除され、ロール状に巻かれた仕切シート１４の保持が解除されて落下し、対象区画Ａ５の周囲４面を囲むように仕切シート１４が展開され、対象区画Ａ５の周囲が閉鎖されて仕切区画が形成される。
【００５９】
このため対象区画Ａ５で発生した火災による炎、煙及び熱は、その周囲を囲んで展開された仕切シート１４により遮られ、その外側への放出が抑制され、これにより実質的に防火区画を形成することができる。
【００６０】
また、仕切シート１４の展開で囲まれた対象区画Ａ５に対しては開閉弁３０の開駆動により消火ヘッド２６から消火用水又は消火泡が散布されるため、大倉庫といった防護空間２２の場合に、天井面に近い例えば数メートルを超える高い位置に消火ヘッド２６があっても、周囲に散逸することなく仕切シート１４で囲まれた対象区画Ａ５の中に集中的に散布され、対象区画Ａ５で発生している火災を確実に抑制し、消火させることが可能となる。
【００６１】
また、消火ヘッド２６から消火用水又は消火泡を散布した場合、周囲を囲んで展開された仕切シート１４に遮られて周囲へ漏れ出すことが殆どなく、消火用水又は消火泡の散布による損害を最小限に抑えることが可能となる。
【００６２】
なお、仕切シート１４の展開により周囲が囲まれた対象区画Ａ５にあっては、４枚の仕切シート１４の合わせ目に隙間が発生するが、この隙間部分を閉鎖するように、例えばコーナー部分の内側を斜め横切るように補助用の仕切シートを展開して閉鎖するようにしてもよい。
【００６３】
また、図５に示すように、対象区画Ａ５を囲んで仕切シート１４を展開した４台のシート展開装置１０の外側に設けられた冷却剤散布ヘッド２８からは冷却水が外側シート面に対し散布されることで、遮炎性、遮煙性及び遮熱性が高められ、また、外側シート面に沿って流れ落ちることで高い冷却効果が得られ、耐熱性が高められる。
【００６４】
更に、展開した仕切シート１４に沿って冷却水が流れ落ちることで仕切シート１４の重量が増加し、シートを下に引いて広げる力が加わることで展開した仕切シート１４の張りを強くして形を保つことができる。
【００６５】
［本発明の変形例］
（対象施設）
上記の実施形態は、対象施設として広い防護空間をもつ倉庫等を対象にした防災設備にシート展開装置を設置しているが、これに限定されず、適宜の施設に適用することができる。例えば、倉庫以外に、トンネル、展示施設、駐車施設、大規模工場等が対象となり得る。
【００６６】
また、倉庫は、倉庫内に荷物をバラ積みする一般倉庫以外に、多数のラック棚が配置されたラック倉庫があり、ラック倉庫にはラック棚に対しフォークリフトの運転により荷物を出し入れする手動倉庫と、スタッカクレーンによりラック棚に対し荷物を自動的に出し入れする自動倉庫があるが、いずれも本発明のシート展開装置を用いた防災設備の対象に含まれる。
【００６７】
（シート展開装置の配置）
上記の実施形態は、防護空間の上部平面に複数のシート展開装置を格子状に配置した場合を例にとっているが、火災発生場所を取り囲むように仕切シートを展開することができれば、シート展開装置の配置は必要に応じて適宜の配置とする。
【００６８】
また、対象区画の横幅が長くなる場合は、複数台のシート展開装置を横に並べて配置する。この場合、隣接する仕切シートが端部で重なって隙間を塞ぐように複数台のシート展開装置を横に並べて配置する。
【００６９】
（その他）
また、本発明はその目的と利点を損なうことのない適宜の変形を含み、更に上記の実施形態に示した数値による限定は受けない。
【符号の説明】
【００７０】
１０：シート展開装置
１２：装置本体
１４：仕切シート
１５：固定部材
１６：保持部材
１８：ラッチ解除作動部
２０：防災設備
２２：防護空間
２４：火災感知器
２６：消火ヘッド
２８：冷却剤散布ヘッド
３０，４６：開閉弁
３２：シート展開制御装置
３４：火災受信盤
３６：消火剤供給設備
３８：消火制御盤
４０：冷却水供給設備
４２：消火配管
４４：冷却配管
４５ａ〜４５ｄ：信号回線
Ａ１〜Ａ９：対象区画
【図１】
2020081184.tif 000003
【図２】
2020081184.tif 000004
【図３】
2020081184.tif 000005
【図４】
2020081184.tif 000006
【図５】
2020081184.tif 000007